(57)【特許請求の範囲】
【請求項１】
元竿端部に軟質材からなる竿尻部材を有する釣竿において、該竿尻部材の後端面側には、硬質材からなる補強部材を収容できる凹部が形成され、該凹部の開口縁部に鍔部が形成されているか、開口縁に向けて開口が狭まる方向に傾斜したテーパ壁面が形成されており、更には、凹部内には周溝が形成されており、前記補強部材が前記凹部に収容される際には前記鍔部かテーパ壁面の入口部を押し広げ、竿尻部材端面より内方に位置して収容されることを特徴とする釣竿。
【発明の詳細な説明】
【０００１】
【発明の属する技術分野】
この発明は、軟質材からなる竿尻部材の端面を補強した釣竿に関する。
【０００２】
【従来の技術】
従来、元竿端部に軟質材からなる竿尻部材を取り付けた釣竿が例えば実公平７−41346 号公報で提案されている。
前記公報では、竿尻部材が軟質材で形成されているため、竿尻を握って竿操作すると、変形し易く、竿の操作性が悪く、握り心持ちも悪い等の欠点があった。
【０００３】
【発明が解決しようとする課題】
解決しようとする問題点は、軟質材で形成された竿尻部材では、竿尻を握って竿操作すると、変形し易く、竿の操作性が悪く、握り心持ちも悪いことである。
【０００４】
本発明の目的は前記欠点に鑑み、軟質材で形成された竿尻部材の端部を握っての竿操作性と握持性が良く、握り心持ちも良い釣竿を提供することである。
【０００５】
【課題を解決するための手段】
前記目的を達成するために、本発明は、元竿端部に軟質材からなる竿尻部材を有する釣竿において、該竿尻部材の後端面側には、硬質材からなる補強部材を収容できる凹部が形成され、該凹部の開口縁部に鍔部が形成されているか、開口縁に向けて開口が狭まる方向に傾斜したテーパ壁面が形成されており、更には、凹部内には周溝が形成されており、前記補強部材が前記凹部に収容される際には前記鍔部かテーパ壁面の入口部を押し広げ、竿尻部材端面より内方に位置して収容されることを要旨とするものである。
【０００６】
【発明の実施の形態】
本発明により、後側握り部２から軟質材からなる竿尻部材３、３′、３″が外れ難くなると共に、竿尻を握った時、握り部分の変形が抑えられて握持性が向上し、竿尻を握った手の竿操作がし易く操作性が向上し、握り心持ちも良い。また、竿尻部材３、３′、３″の凹部3c、3g、3i内の端面3fより内側に補強部材４、４′、４″が配設されているので、端面に適度の弾性を残すことが出来て握り心持ちが良く、操作性がよく、落下等で衝撃を受けても弾性で衝撃を吸収して破損し難くなる。
【０００７】
以下、本発明の実施形態例（以後、実施例と言う）を図面に基づき説明すると、図１から図３は第１実施例で、図１は釣竿の断面側面図と（ａ）は竿尻側の要部拡大断面側面図で（ｂ）は前側握り部側の要部拡大断面側面図、図２は釣竿の要部拡大断面側面図、図３は釣竿の背面図である。
【０００８】
釣竿の元竿１の外周に緩衝材10が接着固定され、緩衝材10の外周に端部側に硬質筒部11が接着固定されてその外周に後側握り部２が接着固定されている。
後側握り部２の端部に軟質材からなる竿尻部材３が嵌合接着固定され、竿尻部材３の後端部に硬質材からなる円板の補強部材４が配設されている。
後側握り部２の前側の緩衝材10の外周に固定フ−ド５とリ−ル載置部材６が接着固定され、リ−ル載置部材６の前側外周に移動フ−ド７とナット部材８が嵌合され、ナット部材８の外周に前側握り部２′が嵌合接着固定されている。
緩衝材10の前側の元竿１の外周にリング12が前後に移動自在に嵌合されてリング12外周に前側握り部２′の前側と前端握り部２″が接着固定されている。
【０００９】
元竿１はテ−プ状の長方形に裁断された図示しないプリプレグシ−トが図示しない芯金に適宜回数捲回された後、その外側にテ−ピングが施され、加熱炉の中に入れられて常法に従って熱硬化処理で一体に形成されている。
プリプレグシ−トは例えば炭素繊維やガラス繊維やアラミド繊維やアルミナ繊維やケプラ繊維及びその他の有機繊維、無機繊維などの高強度繊維で補強した織布等にエポキシ樹脂、フェノ−ル樹脂、ポリエステル樹脂等の熱硬化性合成樹脂が含浸されて形成されている。
【００１０】
後側握り部２、前側握り部２′、前端握り部２″はゴム、コルク、発泡材等で形成されている。後側握り部２は長い筒部2aと、筒部2aの後端に小径部2bが、中心に長い透孔2cとが形成されている。前側握り部２′は長い筒部2dと、前側の小径の透孔2eと、後端の大径の透孔2f、2gとが形成されている。前端握り部２″は断面台形状に形成されて中心に透孔2hが形成されている。
【００１１】
ゴム等の軟質材からなる竿尻部材３は断面コ字形に形成されて筒部3aと、縦壁3bと、縦壁3bの後側に形成された凹部3cと、凹部3cの内側に形成された周溝3dと、凹部3cの開口縁（開口端ともいう）の鍔部3eと、筒部3aの後端面3fとが形成されている。
凹部3c内には金属、セラミック、硬質合成樹脂等の硬質材からなる円板の補強部材４が挿入されている。
補強部材４は銘板としてもよい。
【００１２】
固定フ−ド５、移動フ−ド７は夫々内側に断面円錐形の透孔5a、7aが形成されている。
移動フ−ド７の前側には小径部7bと、小径部7b外周の断面鈎形の鍔部7cと、中心透孔7dが形成されている。
リ−ル載置部材６は太径の筒部6aと細い筒部6bと中心に長い透孔6cが形成され、太径の筒部6aの上面に平面のリ−ル脚載置部6dと、細い筒部6b外周にネジ部6eが夫々形成されている。
ナット部材８は長い筒部8aと、筒部8a内周のネジ部8bと、筒部8a後端の太径部8cと、太径部8c後端外周の鍔部8dと、太径部8c後端内周の断面鈎形の鍔部8eとが形成されている。
鍔部8eは移動フ−ド７の断面鈎形の鍔部7cに係合されている。
ネジ部8bはネジ部6eに螺合されている。
【００１３】
後側握り部２の端部の小径部2b外周に軟質材からなる竿尻部材３が嵌合接着固定される時は、凹部3c内に硬質材からなる補強部材４が挿入された状態または挿入しない状態で嵌合接着固定される。
凹部3c内に硬質材からなる補強部材４が挿入される時は、凹部3c開口端の鍔部3eが外側に押し広げられて挿入され、この時凹部3c内の周溝3dが変形を助けることになる。
凹部3c内に硬質材からなる補強部材４は接着固定してもよいし、接着しないで好みの銘板や適宜厚さの補強部材に変更可能としてもよい。
凹部3c内に硬質材からなる補強部材４が接着固定されていると、補強部材４は外れ難くなる。
【００１４】
後側握り部２の小径部2b外周に軟質材からなる竿尻部材３が嵌合接着固定されて凹部3c内に硬質材からなる補強部材４が挿入されていると、後側握り部２から軟質材からなる竿尻部材３が外れ難くなると共に、竿尻を握った時、握り部分の変形が抑えられる。
竿尻部材３の凹部3c内の端面3fより内側に補強部材４が配設されていると、端面3fに適度の弾性を残すことが出来る。
【００１５】
前記のように釣竿が構成されると、後側握り部２から軟質材からなる竿尻部材３が外れ難くなると共に、竿尻を握った時、握り部分の変形が抑えられて握持性が向上し、竿尻を握った手の竿操作がし易く操作性が向上し、握り心持ちも良い。
竿尻部材３の凹部3c内の端面3fより内側に補強部材４が配設されていると、端面3fに適度の弾性を残すことが出来て握り心持ちが良く、操作性がよく、落下等で衝撃を受けても弾性で衝撃を吸収して破損し難くなる。
【００１６】
図４、図５は第２実施例で、図４は釣竿の要部拡大断面側面図、図５は釣竿の背面図である。
【００１７】
第２実施例では、後側握り部２の小径部2b外周に軟質材からなる竿尻部材３′が嵌合接着固定されて竿尻部材３′の凹部3g内に硬質材からなる補強部材４′が挿入されている。
竿尻部材３′の凹部3gと補強部材４′の形状は略三角形状に形成されている。  凹部3gの開口端には略三角形状の鍔部3hが形成されている。
他の構成は前記第１実施例と略同一である。
【００１８】
第２実施例で軟質材からなる竿尻部材３′を手で握る時は、補強部材４′の一辺に対応する外周を手の平に当て、他の２辺に対応する外周を指で挟むように握持すると握り易い。
【００１９】
図６は第３実施例を図示し、釣竿の要部拡大断面側面図である。該第３実施例では、後側握り部２の小径部2b外周に軟質材からなる竿尻部材３″が嵌合接着固定されて竿尻部材３″の凹部3i内に硬質材からなる補強部材４が挿入されている。
凹部3i内は開口端に向けて傾斜したテ−パ面3kに形成されている。
竿尻部材３″の筒部3a外周に小径部3mが形成されてリアキャップ９が嵌合接着固定されている。
他の構成は前記第１実施例と略同一である。
【００２１】
後側握り部２の小径部2b外周に軟質材からなる竿尻部材３″が嵌合接着固定される時は、軟質材からなる竿尻部材３″に硬質材からなる補強部材４とリアキャップ９を装着した状態で嵌合してもよいし、後側握り部２に軟質材からなる竿尻部材３″を嵌合後にリアキャップ９、硬質材からなる補強部材４の順に装着してもよい。
【００２２】
竿尻部材３″の筒部3a外周にリアキャップ９が嵌合接着固定されていると、後側握り部２に軟質材からなる竿尻部材３″が確実に固定される。
【００２３】
前記説明では、後側握り部２の小径部2b外周に軟質材からなる竿尻部材３、３′、３″を嵌合接着固定するように述べたが、後側握り部２がゴム材などの時はネジ部を設けて螺合固定してもよい。
前記説明の後側握り部２と軟質材からなる竿尻部材３、３′は同一材料で一体に形成してもよい。
【００２４】
【発明の効果】
本発明は、以上説明したような形態で実施され、以下に記載されるような効果を奏する。後側握り部から軟質材からなる竿尻部材が外れ難くなると共に、竿尻を握った時、握り部分の変形が抑えられて握持性が向上し、竿尻を握った手の竿操作がし易く操作性が向上し、握り心持ちも良い。また、竿尻部材端面より内側に補強部材が配設されているので、端部に適度の弾性を残すことが出来て握り心持ちが良く、操作性がよく、落下等で衝撃を受けても弾性で衝撃を吸収して破損し難くなる。
【図面の簡単な説明】
【図１】第１実施例で、釣竿の断面側面図と（ａ）は竿尻側の要部拡大断面側面図で（ｂ）は前側握り部側要部拡大断面側面図である。
【図２】同釣竿の要部拡大断面側面図である。
【図３】同釣竿の背面図である。
【図４】第２実施例で、釣竿の要部拡大断面側面図である。
【図５】同釣竿の背面図である。
【図６】第３実施例で、釣竿の要部拡大断面側面図である。
【符号の説明】
１  元竿
３、３′、３″  軟質材からなる竿尻部材
3f  端面
４、４′、４″  硬質材からなる補強部材
【図１】
0003613439.tif 000002
【図２】
0003613439.tif 000003
【図３】
0003613439.tif 000004
【図４】
0003613439.tif 000005
【図５】
0003613439.tif 000006
【図６】
0003613439.tif 000007